(57)【要約】【課題】レンズカバーを備えた屈曲レンズを用いたカメラにアクセサリを取り付けることができるようにする。【解決手段】複眼カメラ１の本体２の前面に、レンズ３Ａ，３Ｂを覆うためのレンズカバー６を取り外し可能に設ける。レンズカバー６を取り外して、アクセサリをレンズカバー６に代えて本体２に取り付けることができる。【選択図】図１
2010139672.tif 000002
【特許請求の範囲】
【請求項１】
少なくとも１つの屈曲レンズが前面を向くように配設された本体と、
前記屈曲レンズを覆うためのカバー部材と、
前記カバー部材を前記本体の前面にスライド可能かつ取り外し可能に取り付けるとともに、前記カバー部材を取り外した際に、前記屈曲レンズに対するアクセサリ部材を該カバー部材に代えて前記本体の前面にスライド可能かつ取り外し可能に取り付ける取り付け部とを備えたことを特徴とする撮影装置。
【請求項２】
前記取り付け部は、前記カバー部材の裏面に形成されたガイド溝および前記アクセサリ部材の裏面に形成された前記カバー部材のガイド溝と共通形状のガイド溝と係合して、前記カバー部材および前記アクセサリ部材をスライド可能に移動させるガイドレールと、
前記カバー部材を、前記屈曲レンズを覆う閉位置および該屈曲レンズを露出させる開位置において停止させるとともに、前記アクセサリ部材を前記レンズを覆う位置において停止させる停止機構とを備えてなることを特徴とする請求項１記載の撮影装置。
【請求項３】
複数の撮影部を備え、前記アクセサリ部材が前記複数の撮影部の輻輳角を変更するプリズム部材からなることを特徴とする請求項１または２記載の撮影装置。
【発明の詳細な説明】
【技術分野】
【０００１】
本発明は、レンズを覆うためのカバー部材を備えた撮影装置に関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより複数の画像を取得し、複数の画像に含まれる被写体の視差を利用して複数の画像を３次元表示することにより生成することができる。
【０００３】
また、このような３次元表示を行うための撮影を行う、複数の撮影部を有する複眼カメラが提案されている。このような複眼カメラは、所定の間隔にて配置された複数の撮影部を備え、複数の撮影部により被写体を撮影し、これにより取得した複数の画像から３次元表示用画像を生成し、生成した３次元表示用画像をモニタに３次元表示することができる。
【０００４】
また、１つの撮影部のみを備えたカメラにおいて、複眼カメラと同様にステレオ撮影を行うことを可能にしたカメラが提案されている（特許文献１参照）。特許文献１に記載されたカメラは、光学像を２分割するためのステレオアダプタおよび焦点距離を短くするためのコンバージョンレンズ等のアクセサリを、カメラに対して取り外し可能に取り付けるようにしたものである。
【特許文献１】特開平７−１０４４００号公報
【発明の開示】
【発明が解決しようとする課題】
【０００５】
しかしながら、特許文献１に記載されたカメラにおいては、沈胴式のレンズにアクセサリを取り付けるものであるため、本体前面から前方には突出しない屈曲レンズを用いたカメラには適用できない。また、屈曲レンズを用いたカメラはレンズカバーを備えていることが多いが、レンズカバーを備えたカメラには、レンズカバーの存在によりアクセサリを取り付けることが困難である。
【０００６】
本発明は、上記事情に鑑みなされたものであり、レンズカバーを備えた屈曲レンズを用いたカメラにアクセサリを取り付けることができるようにすることを目的とする。
【課題を解決するための手段】
【０００７】
本発明による撮影装置は、少なくとも１つの屈曲レンズが前面を向くように配設された本体と、
前記屈曲レンズを覆うためのカバー部材と、
前記カバー部材を前記本体の前面にスライド可能かつ取り外し可能に取り付けるとともに、前記カバー部材を取り外した際に、前記屈曲レンズに対するアクセサリ部材を該カバー部材に代えて前記本体の前面にスライド可能かつ取り外し可能に取り付ける取り付け部とを備えたことを特徴とするものである。
【０００８】
「屈曲レンズ」とは、電源のオンおよびズーム動作に関わりなく、レンズが撮影装置本体の前面から前方に繰り出さないレンズである。
【０００９】
「アクセサリ部材」は、屈曲レンズの性能を変化させるための部材であり、例えば、コンバージョンレンズおよび光学フィルタをアクセサリ部材として用いることができる。また、撮影装置が複数の撮影部を有する場合、撮影部間の輻輳角を変更するためのプリズムをアクセサリ部材として用いることができる。
【００１０】
なお、本発明による撮影装置においては、前記取り付け部を、前記カバー部材の裏面に形成されたガイド溝および前記アクセサリ部材の裏面に形成された前記カバー部材のガイド溝と共通形状のガイド溝と係合して、前記カバー部材および前記アクセサリ部材をスライド可能に移動させるガイドレールと、
前記カバー部材を、前記屈曲レンズを覆う閉位置および該屈曲レンズを露出させる開位置において停止させるとともに、前記アクセサリ部材を前記レンズを覆う位置において停止させる停止機構とを備えてなるものとしてもよい。
【００１１】
また、本発明による撮影装置においては、複数の撮影部を備えるものとし、前記アクセサリ部材を前記複数の撮影部の輻輳角を変更するプリズム部材からなるものとしてもよい。
【発明の効果】
【００１２】
本発明によれば、カバー部材が取り外し可能に設けられているため、屈曲レンズを用いた撮影装置においても、カバー部材を取り外すことにより、取り付け部にアクセサリ部材を取り付けることが可能となる。
【００１３】
とくに、カバー部材およびアクセサリ部材のガイド溝を共通形状とすることにより、取り付け部をアクセサリ部材のための専用の構造を有するものとする必要がなくなるため、様々なアクセサリ部材の汎用化が可能となる。
【００１４】
また、撮影装置が複数の撮影部を備える場合、３次元表示のための撮影を行うことが可能であるが、近距離撮影を行う場合には輻輳角が不足する場合が多い。本発明においては、アクセサリ部材を複数の撮影部の輻輳角を変更するプリズム部材とすることにより、輻輳角を変更して近距離撮影を容易に行うことが可能となる。
【発明を実施するための最良の形態】
【００１５】
以下、図面を参照して本発明の実施形態について説明する。図１および図２は本発明の撮影装置の実施形態である複眼カメラの外観斜視図であり、図１はレンズカバーが開位置にある状態を、図２はレンズカバーが閉位置にある状態を示す図である。図１，２に示すように本実施形態による複眼カメラ１は、２つの撮影部を有するものであり、本体２の前面２Ａに各撮影部のレンズ３Ａ，３Ｂが所定間隔を空けて配設され、レンズ３Ａ，３Ｂの間にフラッシュ４が配設されている。本体２の上面には撮影動作を行うためのレリーズボタン５が設けられている。なお、レンズ３Ａ，３Ｂ本体２の前面２Ａから前方には繰り出さない屈曲レンズからなる。
【００１６】
また、本体２の前面２Ａには、レンズカバー６が本体２の上下方向にスライド可能に取り付けられている。そして図１に示すようにレンズカバー６が開位置にあるときは、レンズ３Ａ，３Ｂおよびフラッシュ４が露出して撮影を行うことができる。また、図２に示すようにレンズカバー６が閉位置にあるときは、レンズ３Ａ，３Ｂおよびフラッシュ４はレンズカバー６により覆われることとなる。
【００１７】
ここで、レンズカバー６は本体２に対して取り外し可能に取り付けられている。以下、レンズカバー６を本体２に取り付けるための構成について説明する。図３はレンズカバー６を取り外した状態を示す図、図４はレンズカバー６を取り付けた状態における複眼カメラ１の前面図、図５は図４のＩ−Ｉ線断面図、図６は図４のＩＩ−ＩＩ線断面図である。
【００１８】
図３に示すように本体２の前面２Ａには、互いに平行な断面Ｌ字形状の２本のガイドレール１０Ａ，１０Ｂが、所定間隔を空けて本体２の上下方向に延在するように取り付けられている。一方、レンズカバー６の裏面６Ａには、ガイドレール１０Ａ，１０Ｂと嵌合する断面Ｌ字形状の２つのガイド溝７Ａ，７Ｂが形成されている。また、レンズカバー６の裏面６Ａには、後述するロックピン１２と係止してレンズカバー６を開位置および閉位置において固定するための２つの係止穴８Ａ，８Ｂが形成されている。
【００１９】
本体２の前面２Ａにおけるガイドレール１０Ａの近傍には、レンズカバー６を着脱したり、開位置および閉位置において固定するための着脱ボタン１１が取り付けられている。着脱ボタン１１は、レンズカバー６を開位置および開位置において固定するためのロックピン１２と基板１３とともに一体に形成されている。着脱ボタン１１およびロックピン１２は、本体２の内側から前面２Ａに形成された貫通孔９Ａ，９Ｂにそれぞれ出し入れ可能に挿入されている。
【００２０】
基板１３は本体２の内部に固定されたバネ１４Ａ，１４Ｂにより、本体２の前面２Ａから突出する方向に付勢されている。これにより、操作者が着脱ボタン１１を押すとロックピン１２が前面２Ａの内方に移動し、着脱ボタン１１を離すと前面２Ａから前方に突出する。なお、着脱ボタン１１とロックピン１２とを同時に移動させるための構成はここでは省略している。
【００２１】
ここで、レンズカバー６の係止穴８Ａは、レンズカバー６が開位置にあるときにロックピン１２と対峙する位置に、係止穴８Ｂは、レンズカバー６が閉位置にあるときにロックピン１２と対峙する位置にそれぞれ形成されている。このため、操作者は、着脱ボタン１１を押してロックピン１２と係止穴８Ａ，８Ｂとの係止状態を解除することにより、レンズカバー６をガイドレール１０Ａ，１０Ｂに沿って、複眼カメラ１の上下方向にスライドさせることができる。そして、レンズカバー６が開位置となったときに着脱ボタン１１を離すと、ロックピン１２がレンズカバー６の係止穴８Ａと係止するため、レンズカバー６は開位置において固定される。一方、レンズカバー６が閉位置となったときに着脱ボタン１１を離すと、ロックピン１２がレンズカバー６の係止穴８Ｂと係止するため、レンズカバー６は閉位置において固定される。
【００２２】
なお、ロックピン１２は本体２の前面２Ａ側に付勢されているため、着脱ボタン１１を押してレンズカバー６を少しスライドさせた後、着脱ボタン１１を離してレンズカバー６をスライドさせるようにしても、レンズカバー６の開位置および閉位置において、ロックピン１２が係止穴８Ａ，８Ｂと係止するため、レンズカバー６を開位置および閉位置において固定することができる。
【００２３】
また、レンズカバー６が開位置にあるときに着脱ボタン１１を押して、レンズカバー６をさらに本体２の下方へスライドさせると、本体２のガイドレール１０Ａ，１０Ｂとレンズカバー６のガイド溝７Ａ，７Ｂとの嵌合が外れるため、レンズカバー６を本体２から取り外すことができる。一方、着脱ボタン１１を押して、本体２のガイドレール１０Ａ，１０Ｂとレンズカバー６のガイド溝７Ａ，７Ｂとを嵌合させるように、レンズカバー６を本体２の下方から上方へスライドさせると、レンズカバー６を本体２に取り付けることができる。
【００２４】
なお、ガイドレール１０Ａ，１０Ｂ、着脱ボタン１１、ロックピン１２、基板１３、バネ１４Ａ，１４Ｂが取り付け部に対応する。
【００２５】
ここで、本実施形態による複眼カメラ１は、レンズカバー６を取り外した後に、レンズカバー６に代えてアクセサリを本体２に取り付けることができる。例えば、レンズ３Ａ，３Ｂに対応する位置に、本体２に設けられた２つの撮影部の輻輳角を変更するためのレンズアダプタを取り付けることができる。図７はレンズアダプタの構成を示す前面側斜視図、図８はその後面側斜視図である。図７および図８に示すようにレンズアダプタ２０は、レンズカバー６と同様の平板形状をなしており、複眼カメラ１のレンズ３Ａ，３Ｂに対応する間隔を持って矩形の開口２１Ａ，２１Ｂが形成されている。また、開口２１Ａ，２１Ｂの間には、フラッシュ４用の開口２５が形成されている。
【００２６】
開口２１Ａ，２１Ｂにはプリズム２２Ａ，２２Ｂが取り付けられている。プリズム２２Ａ，２２Ｂは、図９に示すように開口２１Ａ，２１Ｂに適合する矩形形状を有し、その頂部がそれぞれ開口２５の側を向くように開口２１Ａ，２１Ｂに取り付けられている。これにより、レンズ３Ａ，３Ｂの光軸を内側に傾斜させることができるため、撮影部の輻輳角を変更することができる。
【００２７】
また、レンズアダプタ２０の裏面には、レンズカバー６に形成されたガイド溝７Ａ，７Ｂと同一形状を有するガイド溝２３Ａ，２３Ｂが形成されている。また、レンズアダプタ２０を本体２に取り付け、プリズム２２Ａ，２２Ｂをレンズ３Ａ，３Ｂと対峙させた状態において、ロックピン１２と対峙する位置に係止穴２４が形成されている。
【００２８】
そして、レンズカバー６を取り外した後、着脱ボタン１１を押して、本体２のガイドレール１０Ａ，１０Ｂとレンズアダプタ２０のガイド溝２３Ａ，２３Ｂとを嵌合させるように、レンズアダプタ２０を本体２の下方から上方へ、レンズアダプタ２０をロックピン１２が係止穴２４に係止するまでスライドさせると、図１０に示すようにレンズアダプタ２０を本体２に取り付けることができる。
【００２９】
逆にレンズアダプタ２０が取り付けられた状態において、着脱ボタン１１を押して、レンズアダプタ２０を本体２の下方へスライドさせると、本体２のガイドレール１０Ａ，１０Ｂとレンズアダプタ２０のガイド溝２３Ａ，２３Ｂとの嵌合が外れるため、レンズカバー６を本体２から取り外すことができる。
【００３０】
このように、本実施形態においては、レンズカバー６を本体２に対して取り外し可能に設けたため、屈曲レンズを用いた複眼カメラ１においても、レンズカバー６を取り外すことにより、レンズアダプタ２０のようなアクセサリを取り付けることが可能となる。
【００３１】
とくに、レンズカバー６のガイド溝７Ａ，７Ｂおよびレンズアダプタ２０のガイド溝２３Ａ，２３Ｂを共通形状とすることにより、レンズアダプタ２０を本体２に取り付けるための構成をレンズアダプタ２０のための専用の構造を有するものとする必要がなくなるため、レンズアダプタ２０を含む様々なアクセサリの汎用化が可能となる。
【００３２】
また、複眼カメラ１においては、近距離撮影を行う場合に輻輳角が不足する場合が多い。本実施形態においては、レンズアダプタ２０として、輻輳角を変更するためのプリズム２２Ａ，２２Ｂを取り付けたものを用いることにより、複眼カメラ１に設けられた撮影部の輻輳角を変更して近距離撮影を容易に行うことが可能となる。
【００３３】
なお、上記実施形態においては、レンズカバー６を取り外してプリズム２２Ａ，２２Ｂを備えたレンズアダプタ２０を取り付けるようにしているが、例えば、光学フィルタ等を備えた他のレンズアダプタおよびコンバージョンレンズ等の任意のアクセサリを取り付けるようにしてもよい。
【００３４】
また、上記実施形態においては、撮影部を２つ備えた複眼カメラ１に本発明を適用しているが、撮影部を１つのみ備えたカメラにも本発明を適用できる。
【図面の簡単な説明】
【００３５】
【図１】本発明の撮影装置の実施形態である複眼カメラのレンズカバーが開位置にある状態を示す外観斜視図
【図２】本発明の撮影装置の実施形態である複眼カメラのレンズカバーが閉位置にある状態を示す外観斜視図
【図３】レンズカバーを取り外した状態を示す前面図
【図４】レンズカバーを取り付けた状態における複眼カメラの前面図
【図５】図４のＩ−Ｉ線断面図
【図６】図４のＩＩ−ＩＩ線断面図
【図７】レンズアダプタの構成を示す前面側斜視図
【図８】レンズアダプタの構成を示す後面側斜視図
【図９】プリズムの形状を示す図
【図１０】レンズアダプタを本体に取り付けた状態を示す前面図
【符号の説明】
【００３６】
１    複眼カメラ
２    本体
２Ａ  前面
３Ａ，３Ｂ    レンズ
４    フラッシュ
５    レリーズボタン
６    レンズカバー
７Ａ，７Ｂ    ガイド溝
８Ａ，８Ｂ    係止穴
１０Ａ，１０Ｂ    ガイドレール
１１    着脱ボタン
１２    ロックピン
１３    基板
１４Ａ，１４Ｂ    バネ
２０    レンズアダプタ
２１Ａ，２１Ｂ    開口
２２Ａ，２２Ｂ    プリズム
２３Ａ，２３Ｂ    ガイド溝
２４    係止穴
【図１】
2010139672.tif 000003
【図２】
2010139672.tif 000004
【図３】
2010139672.tif 000005
【図４】
2010139672.tif 000006
【図５】
2010139672.tif 000007
【図６】
2010139672.tif 000008
【図７】
2010139672.tif 000009
【図８】
2010139672.tif 000010
【図９】
2010139672.tif 000011
【図１０】
2010139672.tif 000012